(57)【要約】【課題】ダクトを通して臭いを店外に排出する消臭装置では、ダクトを設けるための工事費用は相当なものとなる。また、工事によって設けたダクトは簡単に撤去できるものではないので、店内の見栄えを損なったり、邪魔になったりする。【解決手段】エア噴出管４、５の噴射口１９から噴射される消臭ガスを含んだエアによって形成されるエアカーテンより上方の空間で乱気流が生じ、エアに含まれる消臭ガスとおでんＦの臭気とが混合され臭気が消される。このため、おでんＦの臭気がエアカーテンに囲まれた空間外へ放出されることなく消臭される。この消臭装置では、ダクトを備える必要がないので、大がかりな工事を必要せず、低コストで設備することができる。しかも、おでん鍋と一緒に片づけることができ、簡単かつ完全に撤去することができる。従って、使用しない期間において周辺の見栄えを損なうことがなく、邪魔になることもない。【選択図】　　　図１
2004141406.tif 000002
【特許請求の範囲】
【請求項１】
臭気発生源から放出された臭気を囲むエアカーテンを発生させるエアカーテン形成手段と、前記エアカーテン形成手段によって形成されるエアカーテンに消臭作用を有する成分を含ませる消臭成分供給手段とを有することを特徴とする消臭装置。
【請求項２】
請求項１に記載した消臭装置において、エアカーテン形成手段は臭気を囲むエアカーテンの中で、臭気と消臭成分とを混合させる気流を発生させることを特徴とする消臭装置。
【請求項３】
請求項１または２に記載した消臭装置において、エアカーテン形成手段によって発生させられたエアカーテンによって囲まれた臭気を吸引し消臭する吸引消臭手段を具備したことを特徴とする消臭装置。
【請求項４】
請求項１から３のいずれかに記載した消臭装置において、エアカーテン形成手段は臭気発生源が入れられた容器の開口を囲んで配置された噴射口と前記噴射口から噴射されるエアを供給する送風装置とから成ることを特徴とする消臭装置。
【請求項５】
請求項１から４のいずれかに記載した消臭装置において、消臭成分供給手段は、エアカーテンを形成するエアが通過するフィルターと、前記フィルターに消臭成分を含ませる消臭成分含浸装置とから成ることを特徴とする消臭装置。
【請求項６】
請求項１から５のいずれかに記載した消臭装置において、吸引消臭手段は、臭気を吸引するためのファンを有する吸引装置と、前記吸引装置によって吸引される臭気が通過するフィルターと、前記フィルターに消臭成分を含ませる消臭成分含浸装置とから成ることを特徴とする消臭装置。
【発明の詳細な説明】
【０００１】
【発明の属する技術分野】
本発明は消臭装置に係り、例えばコンビニエンスストア等の店内に備えられた、おでん等の鍋から発生する臭気を消す消臭装置に関するものである。
【０００２】
【従来の技術】
現在、殆どのコンビエンスストアにおいて、おでんが販売されている。このおでんは箱状の鍋に入れられており、この鍋は加熱装置に載せられている。そして、このおでん鍋を載せた加熱装置は店内のカウンター上に設置されている。
【０００３】
【発明が解決しようとする課題】
ところが、このおでんから出る臭いが店内にこもってしまい、これに不快感をもつ人が少なくない。また、この臭いが店内に陳列してある商品に付いてしまうおそれもある。そこで、このおでんの臭いの対策が求められている。
おでんの臭い対策としては、ダクトを設けて、このダクトを通しておでんの臭いを店外に排出することが考えられる。
しかしながら、おでんは秋から春先までの季節商品であり、おでんの臭い対策のために大がかりな工事を行い高いコストをかけることはできない。即ち、ダクトを設けるためには、ダクトの一端をおでん鍋の上方に配置し、おでん鍋の上方から延長したダクトの他端を建築物の外壁に形成した開口を通して、外部に露出させる大がかりな工事が必要となり、この工事費用は相当なものとなる。また、工事によって設けたダクトは簡単に撤去できるものではないので、おでんを販売しない夏期においても全く使用しないダクトがそのままの状態で放置されることになる。従って、大がかりなダクトはコスト上の問題のみならず、店内の見栄えを損なったり、邪魔になったりする問題もある。
【０００４】
本発明は上記した問題点に鑑みて為されたものであり、大がかりな工事を必要せず、低コストで、しかも簡単かつ完全に撤去することができて、使用しない期間において周辺の見栄えを損なうことがなく、邪魔になることもない消臭装置を提供することを目的とする。
【０００５】
【課題を解決するための手段】
この目的を達成するために、請求項１の発明の消臭装置は、おでん等の食物を入れ店内に置いた容器内の臭気発生源から放出された臭気を囲むエアカーテンを発生させるエアカーテン形成手段と、前記エアカーテン形成手段によって形成されるエアカーテンに消臭作用を有する成分を含ませる消臭成分供給手段とを有することを特徴とするものである。
【０００６】
請求項２の発明の消臭装置は、請求項１に記載した消臭装置において、エアカーテン形成手段は臭気を囲むエアカーテンの中で、臭気と消臭成分とを混合させる気流を発生させることを特徴とするものである。
【０００７】
請求項３の発明の消臭装置は、請求項１または２に記載した消臭装置において、エアカーテン形成手段によって発生させられたエアカーテンによって囲まれた臭気を吸引し消臭する吸引消臭手段を具備したことを特徴とするものである。
【０００８】
請求項４の発明の消臭装置は、請求項１から３のいずれかに記載した消臭装置において、エアカーテン形成手段は臭気発生源が入れられた容器の開口を囲んで配置された噴射口と前記噴射口から噴射されるエアを供給する送風装置とから成ることを特徴とするものである。
【０００９】
請求項５の発明の消臭装置は、請求項１から４のいずれかに記載した消臭装置において、消臭成分供給手段は、エアカーテンを形成するエアが通過するフィルターと、前記フィルターに消臭成分を含ませる消臭成分含浸装置とから成ることを特徴とするものである。
【００１０】
請求項６の発明の消臭装置は、請求項１から５のいずれかに記載した消臭装置において、吸引消臭手段は、臭気を吸引するためのファンを有する吸引装置と、前記吸引装置によって吸引される臭気が通過するフィルターと、前記フィルターに消臭成分を含ませる消臭成分含浸装置とから成ることを特徴とするものである。
【００１１】
【発明の実施の形態】
以下に、図１から図４に従って本発明の第１実施の形態を説明する。
符号１は箱状のおでん鍋を示し、このおでん鍋１は加熱装置３上に載置される。おでん鍋１を載せた加熱装置３は、コンビエンスストアのカウンター上に設置される。そして、おでん鍋１には臭気発生源としてのおでんＦ（おでん種と汁）が入れられており、このおでんＦは加熱装置３によって加熱されて暖められた状態を保ち、おでんＦの販売が行われる。
【００１２】
消臭装置の構成について説明する。
符号５、７はエア噴出管を示し、エア噴出管５、７はおでん鍋１の側板１１、１３、１５，１７に取付部材９を介して取り付けられている。長寸法のエア噴出管６、７はおでん鍋１の左右の側板１５、１７にそれぞれ取り付けられ、短寸法のエア噴出管４、５はおでん鍋１の前後の側板１１、１３にそれぞれ取り付けられている。エア噴出管４、５、６、７には多数の噴出口１９が横一列に形成されている。後に詳述するように、エア噴出管４、５の噴出口１９の噴射角度と、エア噴射管６、７の噴射口１９の噴射角度は異なっている。
【００１３】
エア噴出管４、５、６、７は、連結管２１を介して連結されており、この連結管２１のうちの１つに供給管２３の一端が連結されている。図２に示すように、供給管２３はフィルターケース２５に接続されており、またフィルターケース２５は接続管２７を介してブロワー２９に接続されている。このブロワー２９はおでん鍋１を載せた加熱装置３を設置するカウンターの内部に備える。
これら噴出口１９を有するエア噴出管４、５、６、７、連結管２１、供給管２７およびブロワー２９によってエアカーテン形成手段が構成されている。
【００１４】
フィルターケース２５には通気性を有するフィルター３１が収容されている。このフィルター３１は互いに絡み合った多数のプラスチック製フィラメントによって構成されている。フィルターケース２５の側板にはボトルホルダー３３が設けられ、このボトルホルダー３３はフィルターケース２５内に連通している。ボトルホルダー３３には、消臭液が充填されたボトル３４が開口を下に向けた逆さまの姿勢で装着され、天然植物精油等から成る消臭液がボトル３４からフィルターケース２５内へ供給される。そして、フィルターケース２５内の消臭液はフィルター３１に毛細管現象によって吸収されて、フィルター３１に消臭液が含浸する。
これらフィルターケース２５、フィルター３１、ボトルホルダー３３および消臭液が充填されたボトル３４によって消臭成分供給手段が構成されている。
消臭装置は、上記エアカーテン形成手段と上記消臭成分供給手段とによって構成されている。
【００１５】
第１の実施の形態に係る消臭装置の動作を説明する。
ブロワー２９を作動させると、エアが接続管２７からフィルターケース２５内へ送られ、消臭液を含浸させられたフィルター３１を通過する。この際にフィルター３１を通過する際に、ガス化した消臭成分（以下、消臭ガスという。）を含む。この消臭ガスを含んだエアは供給管２３および連結管２１を通って、エア噴出管４、５、６、７へ供給されて噴出口１９から斜め上方へ向かって噴出されて、おでん鍋１の開口の上方を囲むエアカーテンが形成される（図１参照）。従って、おでん鍋１内のおでんＦから放出される臭気を囲むエアカーテンが形成されることになる。
【００１６】
図２に示すように、エア噴出管４、５の噴射口１９から噴射される消臭ガスを含んだエアは、エア噴出管４、５から天井Ｔまでの距離の下から三分の二程度のところで交差する。また、図３に示すように、エア噴出管６、７の噴射口１９から噴射される消臭ガスを含んだエアは、天井Ｔ付近で交差する。
上記したように、エア噴出管４、５の噴出口１９の噴射角度と、エア噴射管６、７の噴射口１９の噴射角度は異なっている。従って、図１に示すように、エア噴出管４、５の噴射口１９からのエアにより形成されるエアカーテンとエア噴出管６、７の噴射口１９からのエアにより形成されるエアカーテンとの間の空間で乱気流が生じて、エアに含まれる消臭ガスとおでんＦの臭気とが混合され臭気が消される。このため、おでんＦの臭気がエアカーテンに囲まれた空間外へ放出されることなく消されることになる。
【００１７】
このように、この消臭装置ではダクトを備える必要がないので、大がかりな工事を必要せず、低コストで設備することができる。しかも、おでん鍋と一緒に片づけることができ、簡単かつ完全に撤去することができる。従って、使用しない期間において周辺の見栄えを損なうことがなく、邪魔になることもない。
【００１８】
図５から図７に従って本発明の第２の実施の形態を説明する。
第２の実施の形態は、第１の実施の形態で説明した部材、装置と同じ部材、装置を有しているので、これらの部材、装置については同じ符号を付して、第２の実施の形態では、それらの説明を省略し、第１の実施の形態との相違点についてのみ説明する。
符号４１はフードを示し、このフード４１の上面には吊り具４３が取り付けられている。吊り具４３にはフック４５が設けられ、このフック４５を天井Ｔに取り付けたリング４７に係止して、フード４１を吊り下げる。フード４１内にはフィルター４９が備えられており、このフィルター４９は、互いに絡み合った多数のプラスチック製フィラメントによって構成されている。フィルター４９の端部はホルダー５０にはめ込まれている。
【００１９】
フード４１の側面にはタンク５１が備えられ、このタンク５１はホルダー５０に連通している。タンク５１の上面には供給口５３が設けられている。供給口５３にはキャップ５５が取り付けられて閉鎖される。
図７に示すように、キャップ５５を外して、消臭液をボトル５６からタンク５１に入れると、消臭液はホルダー５０を介してフィルター４９へ到達し、毛細管現象によってフィルター３１に吸収されて消臭液が含浸する。
【００２０】
また、フード４１の上板に図示しないは開口が形成され、この開口を覆う状態に吸引装置５７が取り付けられている。この吸引装置５７にはモータよって回転するファン５９が備えられている。
【００２１】
第２の実施の形態に係る消臭装置の動作を説明する。
この消臭装置は、第１の実施に形態に係る消臭装置と同様に、ブロワー２９が作動し、消臭ガスを含んだエアは供給管２３および連結管２１を通って、エア噴出管４、５、６、７へ供給されて噴出口１９から斜め上方へ向かって噴出されて、おでん鍋１内のおでんＦから放出される臭気を囲むエアカーテンが発生して、エア噴出管４、５の噴射口１９から噴射される消臭ガスを含んだエアによって形成されるエアカーテンより上方の空間において乱気流が生じ、エアに含まれる消臭ガスとおでんＦの臭気とが混合され臭気が消される。
【００２２】
さらに、第２の実施の形態に係る消臭装置では、吸引装置５７のファンが回転し、上記のエアカーテンに囲まれた空間内のエアを吸引する。吸引されたエアは消臭液が含浸されたフィルター４９を通過し、吸引されたエアに臭気が残っている場合でもフィルター４９を通過する際に完全に除去され、臭気を含まないエアが吸引装置５７から上方へ放出される。従って、より確実におでんＦから発生する臭気を店舗内へ出すことなく消すことができる。
【００２３】
この消臭装置では、ダクトを備える必要がないので大がかりな工事を必要せず、低コストで設備することができる。しかも、簡単かつ完全に撤去することができる。従って、使用しない期間において周辺の見栄えを損なうことがなく、邪魔になることもない。
なお、フード４１が店内の装飾等との関係で見栄え上、気になる場合には、フードの周囲を覆う位置にのれんを掛ければ、顧客から見なくなり見栄え上の問題を容易に解決することができる。
【００２４】
以上、本発明の実施の形態について詳述してきたが、具体的構成は、この実施の形態に限られるものではなく、本発明の要旨を逸脱しない範囲における設計の変更などがあっても発明に含まれる。
例えば、上記実施の形態では、おでんから発生する臭いを消す場合を示したが、本発明の消臭装置はこれに限定されず、おでん以外の焼き鳥等の食品、さらに食品以外の臭気発生源から生じる臭気を消す場合に適用することができる。
また、天然植物精油等由来の消臭成分の他、オゾンガスによって消臭する構成としてもよい。
さらに、上記実施の形態ではブロワーを用いたが、コンプレッサーによってエアを供給する構成とすることも可能である。
また、エア噴出管に多数の穴を横一列に設ける代わりに、エア噴出管に横方向へ延びるスリット（長穴）を形成してもよい。
上記実施の形態では、フィルター３１、４９を互いに絡み合った多数のプラスチック製フィラメントによって構成したが、本発明はこれに限定されず、消臭成分を含んで保持でき、しかも通気性のあるものであれば如何なる材料によって構成してもよい。例えば、綿、麻等の天然繊維、不織布等によって構成してもよい。
【００２５】
【発明の効果】
以上のように、本発明の消臭装置では、臭気を完全に消すことができて、しかも、大がかりな工事を必要せず、低コストで設備することができる。
さらに、簡単かつ完全に撤去することができて、使用しない期間において周辺の見栄えを損なうことがなく、邪魔になることもない。
【図面の簡単な説明】
【図１】本発明の第１実施の形態に係る消臭装置の一部、おでん鍋および加熱装置の斜視図である。
【図２】本発明の第１実施の形態に係る消臭装置の側面図である。
【図３】本発明の第１実施の形態に係る消臭装置の一部正面図である。
【図４】本発明の第１実施の形態に係る消臭装置の一部斜視図である。
【図５】本発明の第２実施の形態に係る消臭装置の一部、おでん鍋および加熱装置の斜視図である。
【図６】本発明の第２実施の形態に係る消臭装置の側面図である。
【図７】本発明の第２実施の形態に係る消臭装置の一部斜視図である。
【符号の説明】
１　おでん鍋　　　　　　　　　　３　加熱装置
４、５、６、７　エア噴出管　　　９　取付部材
１１、１３　前後の側板　　　　１５、１７　左右の側板
１９　噴出口　　　　　　　　　２１　連結管
２３　供給管　　　　　　　　　２５　フィルターケース
２７　接続管　　　　　　　　　２９　ブロワー
３１　フィルター　　　　　　　３３　ボトルホルダー
３４　ボトル　　　　　　　　　３４　ボトル
４１　フード　　　　　　　　　４３　吊り具
４５　フック　　　　　　　　　４７　リング
４９　フィルター　　　　　　　５０　ホルダー
５１　タンク　　　　　　　　　５３　供給口
５５　キャップ　　　　　　　　５６　ボトル
５７　吸引装置　　　　　　　　５９　ファン
【図１】
2004141406.tif 000003
【図２】
2004141406.tif 000004
【図３】
2004141406.tif 000005
【図４】
2004141406.tif 000006
【図５】
2004141406.tif 000007
【図６】
2004141406.tif 000008
【図７】
2004141406.tif 000009